(57)【要約】【課題】コストを抑制し、ワイヤレス方式からワイヤード方式に変える際に、ケーブルを新たに用意する必要のないワイヤレス方式とワイヤード方式を切り替え可能なリモコン装置を提供する。【解決手段】被操作機器を遠隔操作する、ワイヤレス方式とワイヤード方式を切り替え可能なリモコン装置であって、筐体１と、一端が筐体１内に配置され、他端に発光素子４を有するケーブル７と、筐体１内に設けられたケーブル７を収納する収納部６と、制御信号を生成し、制御信号をケーブル７に送信する制御部２とを備える。【選択図】図１
2008311737.tif 000002
【特許請求の範囲】
【請求項１】
被操作機器を遠隔操作する、ワイヤレス方式とワイヤード方式を切り替え可能なリモコン装置であって、
筐体と、
一端が前記筐体内に配置され、他端に発光素子を有するケーブルと、
前記筐体内に設けられた前記ケーブルを収納する収納部と、
制御信号を生成し、前記制御信号を前記ケーブルに送信する制御部とを備えたことを特徴とするリモコン装置。
【請求項２】
前記収納部は、巻き取りリールで構成された請求項１記載のリモコン装置。
【請求項３】
前記巻き取りリールは、外周面にノッチを有し、
前記巻き取りリールの近傍にストッパーが設けられ、
前記ストッパーと前記ノッチが係合可能な請求項１または２記載のリモコン装置。
【請求項４】
前記制御部は、
前記ケーブルが前記収納部に収納されたワイヤレス方式の状態の場合に、前記制御信号の電圧を相対的に高くし、
前記ケーブルが前記収納部から引き出されたワイヤード方式の状態の場合に、前記制御信号の電圧を相対的に低くする請求項１〜３のいずれか一項に記載のリモコン装置。
【請求項５】
前記ケーブルを前記被操作機器に接続する素子ホルダと、
前記筐体に、前記素子ホルダを収納するホルダ収納部と、
前記収納ホルダ部に設けられ、前記収納ホルダ部に前記素子ホルダが収納されているか否かを検知するスイッチとを備え、
前記制御部は、
前記スイッチが前記収納ホルダ部に前記素子ホルダが収納されていることを検出すると、ワイヤレス方式の状態であると判断し、
前記スイッチが前記収納ホルダ部に前記素子ホルダが収納されていないことを検出すると、ワイヤード方式の状態であると判断する請求項４記載のリモコン装置。
【発明の詳細な説明】
【技術分野】
【０００１】
本発明は、ビデオカメラ等の被操作機器を遠隔操作するワイヤレス方式と、ワイヤード方式を切り替え可能なリモコン装置に関する。
【背景技術】
【０００２】
近年、テレビジョン、ビデオ、エアコンあるいはオーディオ等の被操作機器を遠隔操作するリモコン装置が、多く用いられている。このリモコン装置には、被操作機器を、赤外線を送信して操作するワイヤレス方式と、ケーブルを被操作機器に接続し、電気信号を送信して操作するワイヤード方式の２つの方式がある。
【０００３】
ワイヤレス方式のリモコン装置は、ケーブルがないために、どこにでも置けるという便利さがあるが、被操作機器に対して操作角度の制約があることや、障害物があると送信が遮断され、被操作機器を操作することができないという欠点がある。一方、ワイヤード方式のリモコン装置は、被操作機器に対してリモコン装置を操作する角度や位置の制約はないが、ケーブルがあるので取り扱いが不便であるという欠点がある。この両方式の欠点を解消するために、ワイヤレス方式と、ワイヤード方式を切り替え可能なリモコン装置が考案されている（例えば、特許文献１参照）。
【０００４】
図９は、従来のワイヤレス方式とワイヤード方式を切り替え可能なリモコン装置の構成を示す部分断面図である。空気調和機本体１０１には、光信号１１４を受光して電気信号に変換する受光素子１０２と、受光素子１０２で変換された電気信号に基づいて動作する制御装置１０３が配置されている。また、空気調和機本体１０１には、リモコン本体１１１からの光信号１１４を通過させる受光窓１０４と、光ファイバ１１５が挿入される挿入口１０５と、挿入口１０５からの光信号１１４を受光素子１０２に導く鏡１０６が設けられている。
【０００５】
リモコン装置１１０は、リモコン本体１１１と光ファイバ１１５を有している。リモコン本体１１１は、押下されることにより電気信号を発生する操作スイッチ１１２と、電気信号を光信号１１４に変換する発光素子１１３が配置されている。また、リモコン本体１１１は、発光素子１１３の近傍に光ファイバ１１５を接続可能に形成されている。
【０００６】
リモコン装置１１０をワイヤレス方式として用いる場合には、発光素子１１３からの光信号１１４が受光窓１０４を通過して受光素子１０２に至る。一方、リモコン装置１１０をワイヤード方式として用いる場合には、光ファイバの一端が、リモコン本体１１１に接続される。光ファイバ１１５の他端は、挿入口１０５に挿入される。発光素子１１３からの光信号１１４は、光ファイバ１１５内を通過し、鏡１０６に反射して受光素子１０２に至る。
【０００７】
受光素子１０２は、光信号を電気信号に変換し、その電気信号に基づいて、制御装置１０３が空気調和機本体１０１を動作させる。
【０００８】
以上のような構成することにより、リモコン装置１０１は、ワイヤード方式およびワイヤレス方式を切り替えて用いられる。
【特許文献１】特開平９−２１０４３１号公報
【発明の開示】
【発明が解決しようとする課題】
【０００９】
しかしながら、上記従来の構成では、ワイヤレス方式からワイヤード方式に変える時（その逆も含む）、光ケーブル１１５を用意し、リモコン本体１１１に光ケーブル１１５を装着しなければならず、非常に不便であるという問題がある。また、ワイヤード方式の信号送信に光ファイバー１１５を用いているので、コストが高くなるという問題がある。
【００１０】
本発明は従来の問題を解決するもので、コストを抑制し、ワイヤレス方式からワイヤード方式に変える際に、ケーブルを新たに用意する必要のないワイヤレス方式とワイヤード方式を切り替え可能なリモコン装置を提供することを目的とする。
【課題を解決するための手段】
【００１１】
この目的を達成するため、本発明のリモコン装置は、被操作機器を遠隔操作する、ワイヤレス方式とワイヤード方式を切り替え可能なリモコン装置であって、筐体と、一端が前記筐体内に配置され、他端に発光素子を有するケーブルと、前記筐体内に設けられた前記ケーブルを収納する収納部と、制御信号を生成し、前記制御信号を前記ケーブルに送信する制御部とを備えたことを特徴とする。
【発明の効果】
【００１２】
本発明によれば、先端に発光素子を設けたケーブルをリモコン本体に収納し、コストを抑制し、ワイヤレス方式からワイヤード方式に変える際に、ケーブルを新たに用意する必要のないワイヤレス方式とワイヤード方式を切り替え可能なリモコン装置を提供することができる。
【発明を実施するための最良の形態】
【００１３】
本発明のリモコン装置は、発光素子を設けたケーブルを筐体に収納した時はワイヤレス方式に、一方、ケーブルを引き出した時にはワイヤード方式のリモコン装置となるものである。従って、方式を変更する際に、ケーブルを新たに用意する必要がない。
【００１４】
また、前記収納部は、巻き取りリールで構成されてもよい。この構成により、容易にケーブルを収納することができる。
【００１５】
また、前記巻き取りリールは、外周面にノッチを有し、前記巻き取りリールの近傍にストッパーが設けられ、前記ストッパーと前記ノッチが係合可能な構成にすることもできる。この構成により、ケーブルの長さを固定することができる。
【００１６】
また、前記制御部は、前記ケーブルが前記収納部に収納されたワイヤレス方式の状態の場合に、前記制御信号の電圧を相対的に高くし、前記ケーブルが前記収納部から引き出されたワイヤード方式の状態の場合に、前記制御信号の電圧を相対的に低くする構成にすることもできる。この構成により、ワイヤレス方式時の消費電力を低減することができ、筐体に内蔵の電池の持続時間を延ばすことができる。
【００１７】
また、前記ケーブルを前記被操作機器に接続する素子ホルダと、前記筐体に、前記素子ホルダを収納するホルダ収納部と、前記収納ホルダ部に設けられ、前記収納ホルダ部に前記素子ホルダが収納されているか否かを検知するスイッチとを備え、前記制御部は、前記スイッチが前記収納ホルダ部に前記素子ホルダが収納されていることを検出すると、ワイヤレス方式の状態であると判断し、前記スイッチが前記収納ホルダ部に前記素子ホルダが収納されていないことを検出すると、ワイヤード方式の状態であると判断する構成にすることもできる。この構成により、ワイヤレス方式とワイヤード方式を切り替える際に、操作者に切り替えスイッチなどの操作を求める必要がない。
【００１８】
以下、本発明のリモコン装置における実施の形態について、以下図面を参照しながら説明する。本実施の形態において、リモコン装置で操作される被操作装置をビデオカメラとして説明する。図１は、本発明の実施の形態に係るワイヤレス方式と、ワイヤード方式を切り替え可能なリモコン装置の部分断面図である。
【００１９】
リモコン装置は、筐体１内部に配置された制御部２と、１主面に配置された操作キー３と、発光素子４が設けられたケーブル７と、筐体１内部に配置され、ケーブル７を巻き取る巻き取りリール８ａを有する。制御部２は、操作者が操作キー３を操作することにより、ビデオカメラ（図１には図示せず）を、選択的に遠隔操作する操作信号を生成する。そして、発光素子４により光信号に変換されるように、操作信号により変調された被変調信号（制御信号）を生成する。
【００２０】
発光素子４は、ＬＥＤ（発光ダイオード）などで構成され、素子ホルダ５に配置されている。発光素子４は、電気信号である被変調信号を、光（赤外線）信号に変換して空間に放出する。素子ホルダ５は、内部で発光素子４とケーブル７が接続されている。また素子ホルダ５は、ビデオカメラの差し込み口に接続可能に形成されている。素子ホルダ５は、ワイヤレス方式の場合には、ホルダ収納部６に収められ、ワイヤード方式の場合には、一点鎖線で示すように、ケーブル７が延ばされ、素子ホルダ５は、ビデオカメラに接続される。ホルダ収納部６には、素子ホルダ５がホルダ収納部６に収まっているか否かを検出するスイッチ（図示せず）が配置されている。
【００２１】
ケーブル７は、銅線等の金属製で、周囲を樹脂で覆われ、被変調信号を発光素子４に伝達する。ケーブル７は、発光素子５と接続されていない端部が巻き取りリール８ａに固定され、必要に応じて巻き取りリール８ａに収納される。巻き取りリール８ａは、ケーブル７を巻き取るハブ９ａと、ハブ９ａの紙面上下方向に取り付けられたフランジ９ｂを有する。巻き取りリール８ａは、筐体１の内部に回転可能に取り付けられている。また、巻き取りリール８ａには、巻き取りリール８ａを反時計方向に回動付勢するためのうず巻きバネ（図示せず）が設けられている。フランジ９ｂの外周面には、三角形状に切り込まれたノッチ９ｃが等間隔に形成されている。ノッチ９ｃは、図１に示すように、時計方向に切り込み量がなめらかに大きくなり、端部で段差９ｄ（ノッチの段差面）が生じている。
【００２２】
ストッパー１０ａは、巻き取りリール８ａの近傍に設けられ、筐体１の内部に回転可能に取り付けられている。ストッパー１０ａは、回転軸１１ｄから回転軸１１ｄと垂直方向に、ロック部１１ａ、リブ１１ｂ、バネ取り付け部１１ｃが形成されている。バネ取り付け部１１ｃには、バネ１２が取り付けられ、バネ１２の付勢により、ストッパー１０ａを、回転軸１１ｄを軸として、常時時計方向に回転させる力が働く。
【００２３】
ロック部１１ａは、回転軸１１ｄの力を受け、フランジ９ｂの外周面と摺接し、ノッチの段差面９ｄと当接して巻き取りリール８ａの反時計方向の回転を阻止する。なお、ケーブル７が引っ張られて、巻き取りリール８ａが時計方向に回転する場合には、ロック部１１ａとノッチの段差面９ｄが当接しないため、ロック部１１ａは、巻き取りリール８ａの回転を阻止しない。リブ１１ｂは、筐体１の外部に突出し、操作者が矢印Ａの向きに力を加えることにより、二点鎖線の位置に移動可能に形成されている。リブ１１ｂが二点鎖線の位置に移動すると、ロック部１１ａも二点鎖線の位置に移動し、ロック部１１ａとノッチの段差面９ｄの当接が解け、巻き取りリール８ａが反時計方向に回転する。
【００２４】
図２は、本実施の形態に係るリモコン装置を、ワイヤード方式でビデオカメラ２０に接続して、遠隔操作する状態を示す側面図である。なお、ケーブル７とビデオカメラ２０の接続状態をわかりやすくするために、一部を断面図で示す。
【００２５】
筐体１からケーブル７が延びて、素子ホルダ５がビデオカメラ２０に接続されている。ビデオカメラ２０は、映像と音声の記録再生が可能であり、撮影映像をモニターするファインダー２３、液晶画面２４（図は液晶画面を閉じた状態）および素子ホルダ５と接合する差し込み口２１を備えている。差し込み口２１は、ビデオカメラ２０のファインダー２３が設けられた面の裏面に設けられている。差し込み口２１内には、発光素子４から出力された光信号を受信する受光素子２２が配置されている。受光素子２２は、光信号を電気信号である被変調信号に変換して、被変調信号を操作信号に復調し、ビデオカメラ２０は、操作信号に基づいて動作する。
【００２６】
図３は、本実施の形態に係るリモコン装置をワイヤレス方式でビデオカメラ２０を遠隔操作する状態を示す側面図である。ケーブル７が巻き取りリール８ａに巻き取られ、素子ホルダ５がホルダ収納部６に収められている。発光素子４は、被変調信号を光信号に変換して、送信する。受光素子２２は、光信号を受信して操作信号に変換する。ビデオカメラ２０は、変換された操作信号に基づいて動作する。
【００２７】
次に、本実施の形態に係るリモコン装置のワイヤレス方式とワイヤード方式の切り替えについて、図１〜３を参照しながら説明する。素子ホルダ５がホルダ収納部６に収められたワイヤレス方式から、ワイヤード方式に切り替えるには、まず、操作者が素子ホルダ５をホルダ収納部６から引き出す操作を行う。それにより、取り巻きリール８が時計方向に回転してケーブル７が引き出される。素子ホルダ５を引き出す力を除くと、巻き取りリール８ａが反時計方向に回転し、ノッチの段差面９ｄとロック部１１ａが当接して、巻き取りリール８ａがケーブル７を巻き取ることを防ぐ。従って、ケーブル７を最適な長さにすることができる。
【００２８】
ホルダ収納部６に設けられたスイッチにより、ホルダ収納部６に素子ホルダ５が収まっていないことが検知されると、制御部２がワイヤード方式のための信号を生成する回路に切り換る。つぎに、素子ホルダ５をビデオカメラ２０の差し込み口２１に差し込む。以上により、ワイヤレス方式からワイヤード方式へ切り替えることができ、操作キー３が押下されることにより、ビデオカメラ２０に操作信号が送信される。
【００２９】
ワイヤード方式から、ワイヤレス方式に切り替えるには、まずビデオカメラ２０の差し込み口２１から素子ホルダ５を抜き取る。つぎに、操作者がリブ１１ｂを矢印Ａの向き（破線の位置）に移動させる。リブ１１ｂが破線の位置に移動すると、ロック部１１ａとノッチの段差面９ｄの当接が解け、うず巻きバネ（図示せず）の付勢により、巻き取りリール８ａが反時計方向に回転して、ケーブル７を巻き取る。
【００３０】
ケーブル４が巻き取られ、素子ホルダ５がホルダ収納部６に収まると、ホルダ収納部６に設けられたスイッチにより、ホルダ収納部６に素子ホルダ５が収まっていることが検知される。スイッチにより、ホルダ収納部６に素子ホルダ５が収まっていることが検知されると、制御部２がワイヤレス方式のための信号を生成する回路に切り換る。以上により、ワイヤード方式からワイヤレス方式へ切り替えることができ、操作キー３が押下されることにより、操作信号に基づいて、ビデオカメラ２０が動作する。
【００３１】
以上のように、本発明の実施の形態に係るリモコン装置において、ワイヤード方式およびワイヤレス方式ともに、１つのケーブル７に接続された発光素子４を用いることにより、方式の変更によるケーブル７の付け替え作業が必要なく、容易に行うことができる。また、光ファイバを用いることがないため、コストを低減することができる。
【００３２】
また、ビデオカメラ（被操作装置）に設けた差し込み口２１の受光素子２２を、両方式の受信コネクタとして使用することができる。そのため、ビデオカメラの小型化が可能である。
【００３３】
図４は、リモコン装置における制御部２の回路構成を示す回路図である。電源部３１は、筐体１の内部に設けられた乾電池などの直流電源である。接続検出部３２は、ホルダ収納部６に素子ホルダ５が収められているか否かを検知するスイッチなどで構成されている。接続検出部３２は、電圧制御部３３に対して、ホルダ収納部６に素子ホルダ５が収められているか否かの検知結果に基づいて、電圧制御部３３を制御する選択信号を送信する。電圧制御部３３は、ＤＣ−ＤＣコンバータなどで構成され、接続検出部３２からの選択信号に基づいて、電源部３１からの供給された電圧から所定の電圧を出力する。素子ホルダ５がホルダ収納部６に収められている場合（ワイヤレス方式）には、規定された、相対的に高い電圧を出力し、収められていない場合（ワイヤード方式）には、規定された、相対的に低い電圧を出力する。
【００３４】
操作信号生成部３４は、図１における操作キー３が押下されたことを検出し、押下された操作キー３に応じた操作信号を出力する。変調部３５は、電圧制御部３３で生成された直流電圧を、操作信号生成部３４からの操作信号で変調（例えば、パルス位相変調）する。変調された被変調信号による電圧が、発光素子４に供給されると、電流が流れ、発光素子４は、光信号を送出する。
【００３５】
以上のように構成された本実施の形態のリモコン装置について、以下その動作を、図１、図４および図５を参照しながら説明する。図５は、リモコン装置の動作を示す流れ図である。
【００３６】
まず、リモコン装置の電源がＯＮとなる（ステップＳ１０１）と、接続検出部３２は、ホルダ収納部６に素子ホルダ５が収められているか否かを検出する（ステップＳ１０２）。接続検出部３２は、ホルダ収納部６に素子ホルダ５が収められていることを検出すると、電圧制御部３３に対して、変調部３５に高い電圧を供給するように指令（選択信号）を送信する。電圧制御部３３は、選択信号に基づいて、電源部３１からの電圧を規定の高い電圧に変換する（ステップＳ１０３）。
【００３７】
つぎに、操作者により、操作キー３が操作されると、操作信号生成部３４は、キー操作に応じた操作信号を、変調部３５へ送信する。変調部３５は、電圧制御部３３から供給された、直流の高い電圧を操作信号で変調する（ステップＳ１０４）。そして、変調された変調部３５は、被変調信号をケーブル７を介して発光素子４に送信する。発光素子４は、被変調信号を光信号に変換し（ステップＳ１０５）、空間に放出する。
【００３８】
ビデオカメラ２０の受光素子２２は、放出された光信号を受信し、受信した被変調信号を操作信号に変換する。ビデオカメラ２０は、操作信号に従い動作する。ワイヤレス方式におけるリモコン装置において、発光素子４に供給される電圧は高く、流れる電流は大きい。そのため、発光素子４と、図３に示すビデオカメラ２０の受光素子２２が離れていても、受光素子２２は光信号を受信可能である。
【００３９】
つぎに、電源がＯＦＦにされる（ステップＳ１０６）と、リモコン装置は、動作を停止する。電源がＯＦＦにされていない場合には、ステップＳ１０２に戻る。
【００４０】
ステップＳ１０２において、ホルダ収納部６に素子ホルダ５が収められていないことを検出すると、接続検出部３２は、電圧制御部３３に対して、変調部３５に対して、低い電圧を供給するように選択信号を送信する。電圧制御部３３は、選択信号に基づいて、電源部３１からの電圧を規定の低い電圧に変換する（ステップＳ１０７）。
【００４１】
つぎに、操作者により、操作キー３が操作されると、操作信号生成部３４は、キー操作に応じた操作信号を、変調部３５へ送信する。変調部３５は、電圧制御部３３から供給された、直流の低い電圧を操作信号で変調する（ステップＳ１０８）。そして、変調部３５は、ケーブル７を介して、変調された被変調信号を発光素子４へ送信する。発光素子４は、被変調信号を光信号に変換し（ステップＳ１０９）、空間に放出する。
【００４２】
ビデオカメラ２０の受光素子２２は、放出された光信号を受信して操作信号に変換する。ビデオカメラ２０は、操作信号に従い動作する。ワイヤード方式では、発光素子４に供給される電圧は低く、流れる電流は小さい。そのため、発光強度は、ワイヤレス方式の場合よりも小さくなるが、発光素子４と受光素子２２の距離が近いので、光信号が受光素子２２に問題なく到達する。
【００４３】
つぎに、電源がＯＦＦにされる（ステップＳ１０６）と、リモコン装置は、動作を停止する。電源がＯＦＦにされていない場合には、ステップＳ１０２に戻る。
【００４４】
次に、発光素子４のワイヤレス方式およびワイヤード方式における消費電力について、具体的に説明する。図６は、発光素子４を構成するＬＥＤの順方向電圧―順方向電流特性を示すグラフである。順方向電圧が１Ｖから電流（１ｍＡ）が流れ出し（Ｂ点）、１．８４Ｖでは、順方向電流が３００ｍＡ程度である（Ａ点）。図７は、発光素子４を構成するＬＥＤの順方向電流と、照射される光の強度の関係を示すグラフである。なお、図７において、順方向電流は、パルスの周期当たりのＯＮ状態の時間であるデューティ比が０．０１であり、横軸はＯＮ状態での電流量である。順方向電流が１ｍＡの時にＬＥＤから照射される光の強度を１とすると、３００ｍＡの時の強度は、２００である。
【００４５】
光の強度は、空気などによる減衰がなければ距離の２乗に反比例する。ここで、図２に示すように、ワイヤード方式における発光素子４と受光素子２２の距離を１ｃｍ、図３におけるリモコン装置がワイヤレス方式として有効な、発光素子４と受光素子２２の距離を１００ｃｍとする。ワイヤード方式の発光素子４と受光素子２２の距離が、ワイヤレス方式の発光素子４と受光素子２２の有効距離の１０-2倍である。そうすると、ワイヤード方式における光の強度が、ワイヤレス方式における光の強度の１０-4倍よりも強ければ、受光素子２２は光信号を受信可能である。
【００４６】
電圧制御部３３は、例えばワイヤレス方式の場合に、直流の電圧１．８４Ｖ、電流３００ｍＡを変調部３５へ供給し、ワイヤード方式の場合に、直流の電圧１Ｖ、電流１ｍＡを供給する。変調部３５が生成するパルスは、デューティ比を０．０１とする。
【００４７】
このような条件において、リモコン装置をワイヤレス方式で用いる場合には、発光素子４で消費される電力は、直流の電圧×順方向電流×デューティ比であり、５．５２ｍＷである。この時、発光素子４から照射される光の強度は、２００である。
【００４８】
一方、リモコン装置をワイヤード方式で用いる場合に、発光素子４から照射される光の強度は、ワイヤレス方式における発光素子４から照射される光の強度である２００の１０-4倍（０．０２）よりも大きい１である。従って、受光素子２２は、発光素子４からの光信号を受信可能である。この時、発光素子４で消費される電力は、０．０１ｍＷであり、ワイヤレス方式で消費される電力の５００分の１に抑えることができる。ワイヤード方式の際に、消費電力を低減する構成であるため、リモコン装置に内蔵された電池の持続時間を延ばすことができる。
【００４９】
以上のように本実施の形態に係るリモコン装置は、電気信号送信用のケーブルの先端に発光素子を設け、ケーブルをリモコン装置に収納と引き出しが可能な構成としたことによって、ワイヤレス方式およびワイヤード方式を切り替えて用いることができる。また、ワイヤレス方式からワイヤード方式に切り替える際に、新たにケーブルを用意する必要がないため、勝手が良い。さらに、ケーブルの一方が常にリモコン装置に取り付けられているので、接続操作が容易である。
【００５０】
更に、ワイヤード方式でリモコン装置を使用する場合には、ケーブルの長さをビデオカメラとの距離に合わせて調節でき、特に、ビデオカメラ等の携帯機器を操作する時に、その効果を発揮するものである。
【００５１】
なお、巻き取りリール８ａのノッチ９ｃを図８に示すような構成にすることもできる。図８に示す構成では、両端に段差面を有するノッチ９ｅが外周部に配置されている。巻き取りリール８ｂのノッチ９ｅおよびストッパー１０ｂのロック部１１ｅの形状が異なる以外は、上述したリモコン装置と同様であり、上述したリモコン装置と同一の構成要素については、同一の符号を付して説明を省略する。
【００５２】
巻き取りリール８ｂは、筐体１に回転自在に形成され、うず巻きバネ（図示せず）により、反時計方向に回動付勢するための力が加えられている。巻き取りリール８ｂの外周部には、両端にノッチの段差面９ｆを有する凹部状に形成されたノッチ９ｅが等間隔に形成されている。図８に示すように、ロック部１１ｅは、ノッチ９ｅに係合可能な形状に形成されている。
【００５３】
ロック部１１ｅとノッチ９ｅが係合すると、ロック部１１ｅがノッチ９ｅの両端の段差面９ｆと当接するため、巻き取りリール８ｂは、どちらの向きにも回転することができない。つまり、リブ１１ｂを操作しなければ、ケーブル７の長さが一定に保つこができる。
【００５４】
また、巻き取りリール８ａ、８ｂに代えて、ケーブル収納部を設け、ケーブルを折り畳み、ケーブル収納部に収める構成にしてもよい。この構成によっても、必要なときには、ケーブルを出してワイヤード方式のリモコン装置として用いることができる。
【産業上の利用可能性】
【００５５】
本発明のリモコン装置は、ケーブルを内蔵し、ワイヤレス方式とワイヤード方式を切り替えて用いることができという効果を有し、特にビデオカメラなどの携帯用機器のリモコン装置として有用である。
【図面の簡単な説明】
【００５６】
【図１】本発明の実施の形態に係るワイヤレス方式と、ワイヤード方式を切り替え可能なリモコン装置の部分断面図
【図２】同上リモコン装置をワイヤード方式でビデオカメラに接続して、遠隔操作する状態を示す側面図
【図３】同上リモコン装置をワイヤレス方式でビデオカメラを遠隔操作する状態を示す側面図
【図４】同上リモコン装置の回路構成を示す回路図
【図５】同上リモコン装置の動作を示す流れ図
【図６】発光素子の順方向電圧―順方向電流特性を示すグラフ
【図７】発光素子の順方向電流―光の強度特性を示すグラフ
【図８】同上リモコン装置の別の構成を示す部分断面図
【図９】従来のワイヤレスとワイヤード方式兼用のリモコン装置の構成を示す部分断面図
【符号の説明】
【００５７】
１  筐体
２  制御部
３  操作キー
４  発光素子
５  素子ホルダ
６  ホルダ収納部
７  ケーブル
８ａ、８ｂ  巻き取りリール
９ａ  ハブ
９ｂ  フランジ
９ｃ、９ｅ  ノッチ
９ｄ、９ｆ  ノッチの段差面
１０ａ、１０ｂ  ストッパー
１１ａ、１１ｅ  ロック部
１１ｂ  リブ
１１ｃ  バネ取り付け部
１１ｄ  回転軸
１２  バネ
２０  ビデオカメラ
２１  差し込み口
２２  受光素子
２３  ファインダー
２４  液晶画面
３１  電源部
３２  接続検出部
３３  電圧制御部
３４  操作信号生成部
３５  変調部
【図１】
2008311737.tif 000003
【図２】
2008311737.tif 000004
【図３】
2008311737.tif 000005
【図４】
2008311737.tif 000006
【図５】
2008311737.tif 000007
【図６】
2008311737.tif 000008
【図７】
2008311737.tif 000009
【図８】
2008311737.tif 000010
【図９】
2008311737.tif 000011